(57)【要約】【課題】柱梁仕口の構面内に設けられた開口部を確保しつつ、開口部の位置や大きさに合わせて設置可能であり、引張材につき簡易な張力導入が可能な、耐震補強ブレース構造を提供する。【解決手段】耐震補強ブレース１０は、柱梁仕口９の構面内に略四辺形に配置される閉鎖状部材１、閉鎖状部材１の四隅を保持する締結部品２、及び締結部品２を近接する柱梁仕口９に接続する放射状部材３から構成され、締結部品２の配置を調節することで、閉鎖状部材１及び放射状部材３が開口部８の範囲外に配置される。また、この閉鎖状部材１に取付けられた長さ調節可能な継手部７により、耐震補強ブレース１０全体の張力導入が可能となる。【選択図】図１
2007085098.tif 000002
【特許請求の範囲】
【請求項１】
建造物の隣接する柱と、それらの柱の両端に取り付く隣接する梁と、で形成され、開口部を有する構面内において、対角上の柱梁仕口相互を筋交いで接続する耐震補強ブレース構造であって、
筋交いが、構面内に略四辺形に配置される閉鎖状部材、閉鎖状部材の四隅を保持する締結部品、及び締結部品を近接する柱梁仕口に接続する放射状部材から構成され、
締結部品の配置を調節することで、閉鎖状部材及び放射状部材が開口部範囲外に配置されることを特徴とする耐震補強ブレース構造。
【請求項２】
請求項１に記載の耐震補強ブレース構造において、
閉鎖状部材は、始端と終端とを連結する継手部を有する引張材から成り、締結部品は、閉鎖状部材を滑動可能に保持することを特徴とする耐震補強ブレース構造。
【請求項３】
請求項１に記載の耐震補強ブレース構造において、
閉鎖状部材は、引張材から成り、３箇所の締結部品は、閉鎖状部材を滑動可能に保持し、１箇所の締結部品は、閉鎖状部材の両端部を固定して保持することを特徴とする耐震補強ブレース構造。
【請求項４】
請求項１に記載の耐震補強ブレース構造において、
閉鎖状部材は、複数の引張材から構成され、締結部品は、閉鎖状部材相互を連結して保持することを特徴とする耐震補強ブレース構造。
【請求項５】
請求項１、２、３、４のいずれか１に記載の耐震補強ブレース構造において、
閉鎖状部材は、長さ調節可能な継手部を備えることを特徴とする耐震補強ブレース構造。
【請求項６】
建造物の隣接する柱と、それらの柱の両端に取り付く隣接する梁と、で形成され、開口部を有する構面内において、対角上の柱梁仕口相互を筋交いで接続する耐震補強ブレース構造であって、
筋交いが、構面内に梁と略並行に配置される線状部材、線状部材の両端を保持する締結部品、及び締結部品を近接する複数の柱梁仕口に接続する放射状部材から構成され、
締結部品の配置を調節することで、線状部材及び放射状部材が開口部範囲外に配置されることを特徴とする耐震補強ブレース構造。
【請求項７】
建造物の隣接する柱と、それらの柱の両端に取り付く隣接する梁と、で形成され、開口部を有する構面内において、対角上の柱梁仕口相互を筋交いで接続する耐震補強ブレース構造であって、
筋交いが、構面内に柱と略並行に配置される線状部材、線状部材の両端を保持する締結部品、及び締結部品を近接する複数の柱梁仕口に接続する放射状部材から構成され、
締結部品の配置を調節することで、線状部材及び放射状部材が開口部範囲外に配置されることを特徴とする耐震補強ブレース構造。
【請求項８】
請求項６又は７に記載の耐震補強ブレース構造において、
線状部材は、長さ調節可能な継手部を備えることを特徴とするブレース構造。
【請求項９】
請求項１、２、３、５のいずれか１に記載の閉鎖状部材は、ケーブルであることを特徴とする耐震補強ブレース構造。
【請求項１０】
請求項６、７、８のいずれか１に記載の線状部材は、ケーブルであることを特徴とする耐震補強ブレース構造。
【発明の詳細な説明】
【技術分野】
【０００１】
本発明は、耐震補強ブレース構造に係り、特に、開口部を有する構面に用いる耐震補強ブレース構造に関する。
【背景技術】
【０００２】
建造物の柱梁から成る骨組構造において、地震力等の水平力に対する抵抗要素として柱梁の構面内に配置されるブレース構造が用いられている。また、既存の建造物の耐震性能を向上させるため、壁面に耐震補強ブレースを追加して取付ける補強が行われている。ここで、建造物とは、建築物、土木構造物、工作物等を総称する。また、新築の建造物か、又は既存の建造物の補強かを問わない。さらには、建造物の構造躯体は、木造、鉄骨造、鉄筋コンクリート造、鉄骨鉄筋コンクリート造等、その種別を問わない。
【０００３】
ブレース構造には、対角上の柱梁仕口相互を交差して取付ける、いわゆる「筋交い」といわれるＸ型ブレース構造がある。Ｘ型ブレース構造は、通常、ブレースの材長が部材幅に対して長くなり、両端部での柱梁仕口における曲げモーメントへの固定度が低いため、軸力のみを伝達するピン接合部材となる。また、軸力は、圧縮力は負担せずに引張力のみを負担する引張材として用いられる。
【０００４】
図７（ａ）に、Ｘ型ブレースの概念図を示す。柱梁構面に左右から地震力等の水平力Ｆが交互に加わった場合、水平力Ｆに対して、引張力Ｔが発生する一方のブレース材が交互に抵抗するため、水平力Ｆの方向に関わらず一定の強度を有し、効率的な構造である。また、これらのブレース材は、柱梁仕口において、柱と梁の中心軸の交点を結んだ対角線上に配置されるため、力の流れに無駄がなく、最も経済的な構造である。このＸ型ブレースは、例えば、仮設住宅、工事現場の仮設事務所、学校の体育館等では、一般的な構造として広く用いられている。また、開口部を有さない柱梁の構面には、一般的な構造として広く用いられる。
【０００５】
開口部を有する柱梁の構面に取付けられるブレース構造には、上述のＸ型以外にも多様な形式がある。図７(ｂ)、(ｃ)、(ｄ)にそれらの例を示す。通常は、建造物の設計の際に開口部の位置や大きさから、個別に上記ブレースの形式が選択され採用される。
【０００６】
これらのブレース材には、例えば、アングル材やチャンネル材といった形鋼、丸形鋼管、角形鋼管、棒鋼、ケーブルが引張材として用いられる。棒鋼とは、中実の丸鋼をいいＰＣ鋼棒も含まれる。一般にロッドと称されるものも鋼棒に含まれる。ケーブルとは、鋼線をより合わせたロープをいい、例えば、構造用ストランドロープ、構造用スパイラルロープが含まれる。
【０００７】
これらの引張材のうち、例えば、ケーブルや鋼棒という可撓性を有する材料は、現場での取り付けの際に張力を導入する必要がある。Ｘ型ブレースの個々の部材には、例えば、ターンバックル等の長さ調節機能が取付けられ、引張材の取付け後にその部材の長さを調節することで個々の引張材に張力が導入される。この張力導入により引張材には、部材が弛むことなく張られ、地震等の水平力が加わった場合に、即座に機能することができる。
【０００８】
一方、既存建造物において、「新耐震設計基準」に基づき耐震診断された結果、耐震性能の不足が判明した場合、壁面に耐震補強ブレースを取付け耐力壁とすることが行われている。
【０００９】
例えば、特許文献１には、既存木造住宅の外付け型耐震補強ブレース金物が、特許文献２には、有効な開口部を確保した建物の補強ブレース構造が、特許文献３には、柱、梁の３交点から引き出した引張り材を所定の角度で１点に結合したブレース制震装置が開示されている。
【００１０】
特許文献１に開示されている耐震補強ブレースを図８に示す。この耐震補強ブレースは、住宅の柱梁接合部Ａ等へ外付けされる接合金物２０と、接合金物２０とは連結金物２１を介して応力の伝達が可能に緊結されるＸ型ブレース材２２との組合せから成る。また、ブレース材２２は、その端部に張力の導入が可能な機構を備えている。
【００１１】
特許文献２に開示されている補強ブレース構造を図９に示す。各補強ブレース２３は、それぞれ、その一端が柱２５又は鉛直フレームの中間部に接合され、他端が梁２６又は水平フレームの中間部に接合される。この菱形に組まれた構造により、ブレース内面に開口部２４を確保できる。
【００１２】
特許文献３に開示されているブレース制震装置を図１０に示す。このブレース制震装置２７は、柱２９、梁３０の３交点から引き出した引張り材２８を所定の角度で１点（連結金物３１）に結合して、ブレースには引張力だけが作用するように構成するブレースを、柱、梁で囲まれる構面内に配置する。
【００１３】
【特許文献１】登録実用新案第３０４０６５０号公報
【特許文献２】特開平１１−２００６３８号公報
【特許文献３】特開平１１−１４８２４５号公報
【発明の開示】
【発明が解決しようとする課題】
【００１４】
建造物の柱梁の構面内には、一般的に、窓や出入口等といった開口部が設けられる。特許文献１に開示されているＸ型ブレース構造は、地震力等の水平力に対して最も効率の良い構造形式ではあるが、この開口部を避けて配置することは難しい。例えば、仮設住宅、工事現場の仮設事務所といった一時的な建造物、あるいは、学校の体育館のような公共施設で、建物としての機能を果たせばよい場合には、開口部にブレース材が架かっていても許容される場合がある。しかし、個人住宅やデザイン性の高い建造物では、意匠上の美観や開口部の機能面から許容されないという問題がある。したがって、Ｘ型ブレース構造では、開口部の位置や大きさに合わせてブレースの配置を調節することは難しい。また、引張材の張力導入はブレースごとに設けられた長さ調節機構によるため、簡易な張力導入方法とはいえない。
【００１５】
特許文献２に開示されているような補強ブレースでは、各補強ブレースの両端は、柱及び梁の中間部において交わるように、菱型を構成して配置される。この菱型を崩して４本の補強ブレースの両端と柱及び梁との交点とをそれぞれ異なる位置にずらすと、柱及び梁に局部的な偏芯による曲げモーメントが発生し、構造上の問題が発生する。したがって、このブレース構造形式では、開口部の位置や大きさに合わせてブレースの配置を調節することは難しい。また、引張材の張力導入はブレースごとに設けられた長さ調節機構によるため、簡易な張力導入方法とはいえない。
【００１６】
特許文献３に開示されているようなブレース制震装置では、地震等の水平力が加わった場合、３本のブレースのうち、対角上の柱梁の交点に繋がる２本のブレースには引張力が発生するものの、他の１本のブレースにはわずかな軸力しか発生しない。この他の１本のブレースは対角上の柱梁の交点に繋がる２本のブレースに対する制震装置としての役割を持つものであり、その配置は、開口部を確保ではなく、機能上の制約から決定される。つまり、原理的には、Ｘ型ブレースの片側のブレースを取り除いた構造に制震装置を取付けたものにすぎない。したがって、このブレース構造形式では、開口部の位置や大きさに合わせてブレースの配置を調節することは難しい。また、３本のブレースが結合される角度が固定されているため、引張材の張力導入はブレースごとに設けられた長さ調節機構によるため、簡易な張力導入方法とはいえない。
【００１７】
本願の目的は、かかる課題を解決し、柱梁仕口の構面内に設けられた開口部を確保しつつ、開口部の位置や大きさに合わせて設置可能であり、引張材につき簡易な張力導入が可能な、耐震補強ブレース構造を提供することである。
【課題を解決するための手段】
【００１８】
上記目的を達成するため、本発明に係る耐震補強ブレース構造は、建造物の隣接する柱と、それらの柱の両端に取り付く隣接する梁とで形成され、開口部を有する構面内において、対角上の柱梁仕口相互を筋交いで接続する耐震補強ブレース構造であって、筋交いが、構面内に略四辺形に配置される閉鎖状部材、閉鎖状部材の四隅を保持する締結部品、及び締結部品を近接する柱梁仕口に接続する放射状部材から構成され、締結部品の配置を調節することで、閉鎖状部材及び放射状部材が開口部範囲外に配置されることを特徴とする。また、この閉鎖状部材は、長さ調節可能な継手部を備えることが好ましい。さらに、この閉鎖状部材は、ケーブルであることが好ましい。
【００１９】
また、耐震補強ブレース構造は、閉鎖状部材は、始端と終端とを連結する継手部を有する引張材から成り、締結部品は、閉鎖状部材を滑動可能に保持することが好ましい。さらに、この閉鎖状部材は、長さ調節可能な継手部を備えることが好ましい。さらに、この閉鎖状部材は、ケーブルであることが好ましい。
【００２０】
また、耐震補強ブレース構造は、閉鎖状部材は、引張材から成り、３箇所の締結部品が、閉鎖状部材を滑動可能に保持し、１箇所の締結部品は、閉鎖状部材の両端部を固定して保持することが好ましい。また、この閉鎖状部材は、長さ調節可能な継手部を備えることが好ましい。さらに、この閉鎖状部材は、ケーブルであることが好ましい。
【００２１】
また、耐震補強ブレース構造は、閉鎖状部材は、複数の引張材から構成され、締結部品は、閉鎖状部材相互を連結して保持することが好ましい。また、この閉鎖状部材は、長さ調節可能な継手部を備えることが好ましい。
【００２２】
さらに、上記目的を達成するため、本発明に係る耐震補強ブレース構造は、建造物の隣接する柱と、それらの柱の両端に取り付く隣接する梁とで形成され、開口部を有する構面内において、対角上の柱梁仕口相互を筋交いで接続する耐震補強ブレース構造であって、筋交いが、構面内に梁と略並行に配置される線状部材、線状部材の両端を保持する締結部品、及び締結部品を近接する複数の柱梁仕口に接続する放射状部材から構成され、締結部品の配置を調節することで、線状部材及び放射状部材が開口部範囲外に配置されることを特徴とする。また、この線状部材は、長さ調節可能な継手部を備えることが好ましい。さらに、この線状部材は、ケーブルであることが好ましい。
【００２３】
さらに、上記目的を達成するため、本発明に係る耐震補強ブレース構造は、建造物の隣接する柱と、それらの柱の両端に取り付く隣接する梁とで形成され、開口部を有する構面内において、対角上の柱梁仕口相互を筋交いで接続する耐震補強ブレース構造であって、筋交いが、構面内に柱と略並行に配置される線状部材、線状部材の両端を保持する締結部品、及び締結部品を近接する複数の柱梁仕口に接続する放射状部材から構成され、締結部品の配置を調節することで、線状部材及び放射状部材が開口部範囲外に配置されることを特徴とする。また、この線状部材は、長さ調節可能な継手部を備えることが好ましい。さらに、この線状部材は、ケーブルであることが好ましい。
【発明の効果】
【００２４】
上記構成により、柱梁仕口の構面内に略四辺形の閉鎖状部材と、その四隅の締結部品から柱梁仕口に接続する放射状部材との組合せにより、後述するように、締結部品の配置を調節することで、開口部を確保することが可能となる。また、各放射状部材は、柱梁仕口に接続するため、柱や梁に取り付かず、構造的に効率の良いブレース構造が可能となる。
【００２５】
また、閉鎖状部材が引張材であり、締結部品が引張材を滑動可能に保持することで、閉鎖状部材を一体の引張材とし、締結部品の配置を調節することが可能となる。
【００２６】
また、上記閉鎖状部材を、柱に略平行な線状部材か、梁に略平行な線状部材のいずれかに置き換えることで、締結部品の配置を調節して開口部を確保することが可能となる。また、各放射状部材は、柱梁仕口に接続するため、柱や梁に取り付かず、構造的に効率の良いブレース構造が可能となる。
【００２７】
また、閉鎖状部材が引張材であり、長さ調節可能な継手部を備えることで、個々の部材ごとに張力を導入する必要がなく、閉鎖状部材全体の長さを継手部に設けられた長さ調節機構を締めこむことで、その張力が放射状部材に伝わり、耐震補強ブレース全体の部材に張力を導入することが可能となる。線状部材が引張材である場合も同様に、長さ調節可能な継手部を備えることで、線状部材の継手部に設けられた長さ調節機構を締めこむことで、その張力が放射状部材に伝わり、耐震補強ブレース全体の部材に張力を導入することが可能となる。
【００２８】
以上のように、本発明による耐震補強ブレース構造によれば、柱梁仕口の構面内に設けられた開口部を確保しつつ、開口部の位置や大きさに合わせて設置可能であり、張力導入の容易な耐震補強ブレース構造が可能となる。
【発明を実施するための最良の形態】
【００２９】
以下に、図面を用いて本発明に係る実施の形態につき、詳細に説明する。
【００３０】
図１に耐震補強ブレース１０の一つの実施形態での構成を示す。耐震補強ブレース１０は、開口部８を有し、隣接する柱５と、柱の両端に取り付く隣接する梁６と、柱梁仕口９とで構成される構面内に取付けられる。耐震補強ブレース１０は、この開口部８を確保するように、閉鎖状部材１、締結部品２、放射状部材３、仕口部取付金物４、及び継手部７により構成される。
【００３１】
閉鎖状部材１は、１本のケーブルから成り、構面内に略四辺形に配置される。これは、ケーブルが、可撓性を有し、適切な曲率半径を有するサドル状の部材に支持されることで略直角に屈曲できるからである。また、ケーブルは、鋼線をより合わせたロープであるが、その両端は定着金物により接合が可能となり、継手部７によりケーブルの両端の定着金物相互が連結される。
【００３２】
ケーブルとは、例えば、構造用ストランドロープ、構造用スパイラルロープをいう。ケーブルは、通常の鋼材と比べ高強度の亜鉛めっき鋼線（引張強さ１４７０Ｎ／ｍｍ２、１５７０Ｎ／ｍｍ２等）をより合わせたものであり、圧縮力、せん断力、及び曲げ応力には抵抗できないが、引張力に対しては著しい強度を有する。
【００３３】
この閉鎖状部材１は、ケーブル以外の引張材、例えば、アングル材やチャンネル材などの形鋼、丸形鋼管、角形鋼管、鋼棒から構成されても良い。あるいは、これらの引張材の組み合わせであっても良い。それらの場合には、閉鎖状部材１は、４本の上記いずれかの引張材を略四辺形に配置し、それぞれの引張材相互は締結部品２により連結される。これらの場合でも構成部材が引張材であるため、張力導入機構である継手部７を必要とする場合がある。
【００３４】
図２に、放射状部材３に関し、その一端での、締結部品２との接合の１つの実施例と、その他端での、仕口部取付金物４との接合の１つの実施例とをそれぞれ示す。放射状部材３は、本実施の態様では鋼棒から成り、その両端部には、同じく鋼棒からなる取付部１２が、溶接によりＴ字型に接続されている。この取付部１２のうち締結部品２との接続部分は、サドル１３に設けられた孔に差し込まれてピン接合により接続される。また、この取付部１２のうち仕口部取付金物４との接続部分は、プレート１４に設けられた孔に差し込まれてピン接合により接続される。放射状部材３は鋼棒以外の他の引張材、例えば、アングル材やチャンネル材等の形鋼、丸形鋼管、角形鋼管、ケーブルなどであっても良い。
【００３５】
締結部品２は、閉鎖状部材１であるケーブルを適切な曲率半径により支持するサドルとしての機能と、閉鎖状部材１と放射状部材３とを接続する役割を兼ね備える。図２に締結部品２の概略を示す。締結部品２は、半割りのサドル１３を閉鎖状部材１を挟んで重ね合わせ、３本のボルト１１により締め付けられる。図２には、半割りの一方のサドル１３のみを示す。この半割りのサドル１３には、閉鎖状部材１を曲率半径Ｒにより支持する半円の溝が切られている。この溝により閉鎖状部材１は、滑動可能となる。
【００３６】
仕口部取付金物４は、放射状部材３を柱梁仕口９に固定する機能を有する。図２に、仕口部取付金物４の概略を示す。本実施の態様では、仕口部取付金物４は、柱５及び梁６にそれぞれボルト１６により取付けられる２枚のプレート１４及び１５から構成される。プレート１４及び１５には、放射状部材３を挿入可能な孔が明けられている。
【００３７】
これらの閉鎖状部材１、締結部品２及び放射状部材３の組合せから、締結部品２の位置を調節することで、開口部８の位置及び大きさに合わせて耐震補強ブレース１０を配置することが可能となる。
【００３８】
図３に耐震補強ブレース１０の開口部８の位置及び大きさに対する配置の実施例の概念図を示す。図３（ａ）は、開口部８が横長な窓等である場合を、図３（ｂ）は、開口部８が２つの窓からなる場合を、図３（ｃ）は、開口部８が、出入口である場合を示す。このように、締結部品２の位置を、開口部８の稜線を延長した線により決まる斜線部Ａ及びＢ（図３（ａ））内の任意の位置に配置することで、開口部８を確保しつつ耐震補強ブレース１０を取付けることができる。この締結部品２は、上記範囲内であって、柱梁の仕口を対角線上に結んだ一点鎖線ｍ及びｎ（図３（ａ））の一方と最も平行に近くなるように位置決めをすることで、構造上効率の良いブレース構造となる。
【００３９】
耐震補強ブレース１０の張力導入は、ケーブルである閉鎖状部材１に取付けられた継手部７により行われる。図４（ａ）に、閉鎖状部材１の継手部７の概略を示す。ケーブルから成る閉鎖状部材１の端部は、定着部１９により定着され、定着部１９からケーブルとは反対側に締結ボルト１７が取付けられる。一本の閉鎖状部材１の始端と終端の定着部１９から延びた締結ボルト１７は、相互に逆ネジが切られたカップラー１８により結合される。このカップラー１８を締めこむことで双方の定着部１９の間隔が短縮され、閉鎖状部材１全体に張力が導入される。閉鎖状部材１は、連続した１本のケーブルが、締結部品２において滑動可能に支持される。耐震補強ブレース１０の取り付けの際、締結部品２のボルト１１をルーズにしておくことで、閉鎖状部材１は締結部品２のサドル１３に沿って移動可能となる。
【００４０】
また、締結部品２は、閉鎖状部材１の継手部７での長さ調節による張力導入により、全体的に閉鎖状部材１の内側へと移動する。これに従い、放射状部材３は締結部品２に接続する端部も移動しようとするが、仕口部取付金物４に接続する端部の位置が固定されているために、放射状部材３自体にも張力が導入される。
【００４１】
この長さ調節を行う継手部７は、閉鎖状部材１に少なくとも１箇所取付けられていればその機能を果たすが、２箇所以上取付けられていてもよい。また、放射状部材３に取付けられた、例えば、ターンバックルと併用されても良い。
【００４２】
また、他の実施の態様では、この継手部７が締結部品２に組み込まれる。すなわち、３箇所の締結部品２は閉鎖状部材１をサドル１３により滑動可能に支持し、１箇所の締結部品２は、ケーブルの両端の定着部１９を、サドル１３を用いずに定着させ、長さ調節機構をこの継手部７に設けることが可能である。図４（ｂ）に、締結部品２に設けた長さ調節機構の実施例を示す。一方の閉鎖状部材１は、その定着部１９に取付けられた締結ボルト１７により締結部品２に直接ねじ込まれる。他方の閉鎖状部材１は、その定着部１９と締結部品２との間にカップラー１８が設けられる。定着部１９及び締結部品２から延びた締結ボルト１７は、相互に逆ネジが切られたカップラー１８により結合される。このカップラー１８を締めこむことで定着部１９と締結部品２との間隔が短縮され、閉鎖状部材１全体に張力が導入される。
【００４３】
図５に、耐震補強ブレース１０の他の実施の形態を示す。この耐震補強ブレース１０は、柱梁の構面内に梁６と略並行に配置される線状部材３２と、線状部材３２の両端を保持する締結部品２と、締結部品２をそれぞれ近接する２箇所の柱梁仕口９の仕口部取付金物４に接続する放射状部材３とから構成される。締結部品２の位置を、開口部８の稜線を延長した線により決まる斜線部Ａ内の任意の位置に配置することで、開口部８を確保しつつ耐震補強ブレース１０を取付けることができる。この締結部品２は、上記範囲内であって、柱梁仕口９を対角線上に結んだ一点鎖線ｍ及びｎの一方と最も平行に近くなるように位置決めをすることで、構造上効率の良いブレース構造となる。
【００４４】
この耐震補強ブレース１０の場合には、この線状部材３２に長さ調節可能な継手部７が取付けられる。締結部品２は、線状部材３２の継手部７での長さ調節による張力導入により、線状部材３２側へと移動する。これに従い、放射状部材３は締結部品２に接続する端部も移動しようとするが、仕口部取付金物４に接続する端部の位置が固定されているために、放射状部材３自体にも張力が導入される。
【００４５】
図６に、耐震補強ブレース１０の他の実施の形態を示す。この実施の形態は、上記実施の形態の線状部材３２を柱５に略並行にした場合であり、その他の構成は上記実施の形態と同様である。
【００４６】
この耐震補強ブレース１０の場合には、この線状部材３２に長さ調節可能な継手部７が取付けられ、この継手部７での長さ調節による張力導入により、上記と同様に放射状部材３自体にも張力が導入される。
【図面の簡単な説明】
【００４７】
【図１】本発明に係る耐震補強ブレースの実施の態様を示す概略図である。
【図２】放射状部材の両端部での、締結部品及び仕口部取付金物との接合例を示す概略図である。
【図３】耐震補強ブレースの配置例を示す概念図である。
【図４】閉鎖状部材の継手部の構成の例を示す概略図である。
【図５】耐震補強ブレースの他の実施の態様を示す概略図である。
【図６】耐震補強ブレースの他の実施の態様を示す概略図である。
【図７】従来のブレース構造の種類を示す概略図である。
【図８】従来技術を示す図である。
【図９】従来技術を示す図である。
【図１０】従来技術を示す図である。
【符号の説明】
【００４８】
1  閉鎖状部材、２  締結部品、３  放射状部材、４  仕口部取付金物、５，２５，２９  柱、６，２６，３０  梁、７  継手部、８，２４  開口部、９  柱梁仕口、１０  耐震補強ブレース、１１，１６  ボルト、１２  取付部、１３  サドル、１４，１５  プレート、１７  締結ボルト、１８  カップラー、１９  定着部、２０  接合金物、２１，３１  連結金物、２２  ブレース材、２３  補強ブレース、２７  ブレース制震装置、２８  引張り材、３２  線状部材。
【図１】
2007085098.tif 000003
【図２】
2007085098.tif 000004
【図３】
2007085098.tif 000005
【図４】
2007085098.tif 000006
【図５】
2007085098.tif 000007
【図６】
2007085098.tif 000008
【図７】
2007085098.tif 000009
【図８】
2007085098.tif 000010
【図９】
2007085098.tif 000011
【図１０】
2007085098.tif 000012